(57)【要約】      （修正有）【課題】製造工程が簡単で、履き心地が良い、サポート及び分離機能を有する男性下穿きを提供する。【解決手段】サポート及び分離機能を有する男性下穿きは、前表地、後表地、ゴムバンド及び裏地を含み、前表地及び後表地４の頂部はそれぞれゴムバンド１に縫い付けられ、前表地は左右の２枚の布切れを縫い付けて構成され、前表地と後表地とは縫い付けられ、前表地と後表地との縫い付け部分に陰嚢ポケット５が設けられ、裏地は裏地左側布切れ２及び裏地右側布切れ３で構成され、かつ裏地左側布切れと裏地右側布切れとの縫い付け部分に開口６が設けられ、前表地及び裏地の両側辺はそれぞれ陰嚢ポケットに寄せて縫い付けられ、開口と連通する独立の置き空間が形成され、前表地と裏地との頂部は揃えられゴムバンドに縫い付けられる。【選択図】図１
0003213603.tif 000002
【実用新案登録請求の範囲】
【請求項１】
前表地、後表地及びゴムバンドを含み、
前記前表地及び後表地の頂部はそれぞれゴムバンドに縫い付けられ、前記前表地は左右の２枚の布切れを縫い付けて構成され、前記前表地と後表地とが縫い付けられている男性下穿きであって、
裏地、をさらに含み、
前記前表地と後表地との縫い付け部分に陰嚢ポケットが設けられ、
前記裏地は裏地左側布切れ及び裏地右側布切れで構成され、前記裏地左側布切れと裏地右側布切れとの縫い付け部分に開口が設けられ、
前記前表地及び裏地の両側辺はそれぞれ前記陰嚢ポケットに寄せて縫い付けられ前記開口と連通する独立の置き空間が形成され、
前記前表地と裏地との頂部は揃えられ前記ゴムバンドに縫い付けられていること
を特徴とするサポート及び分離機能を有する男性下穿き。
【請求項２】
前記左右の２枚の布切れのサイズは同様であり、前記裏地左側布切れと裏地右側布切れとのサイズは同様であることを特徴とする請求項１に記載のサポート及び分離機能を有する男性下穿き。
【考案の詳細な説明】
【技術分野】
【０００１】
本考案は、下穿き紡織技術分野に関し、特にサポート及び分離機能を有する男性下穿きに関する。
【背景技術】
【０００２】
時代の進歩及び発展に伴い、人々は下穿きの履き心地及び機能性を重要視している。特に男性の下穿き分野において、単に体を隠すためではなく、さらに健康面、履き心地、見栄えについて求められている。
【考案の概要】
【考案が解決しようとする課題】
【０００３】
従来の伝統的な男性下穿きは構造がシンプルであるため、陰嚢と陰茎を分けておくことができず、陰嚢が湿気て、陰茎を圧迫し、なお陰嚢を効果的にサポートする働きができず、男性生殖器を傷ませ、精索静脈瘤などの病気をもたらし、睾丸及び陰茎の正常な機能に深刻な影響を及ぼしている。
【０００４】
そこで、本考案は、上記点に鑑みてなされたものであり、サポート及び分離機能を有する男性下穿きを提供することを目的とするものである。
【課題を解決するための手段】
【０００５】
請求項１の考案に係るサポート及び分離機能を有する男性下穿きは、前表地、後表地及びゴムバンドを含み、前記前表地及び後表地の頂部はそれぞれゴムバンドに縫い付けられ、前記前表地は左右の２枚の布切れを縫い付けて構成され、前記前表地と後表地とが縫い付けられている男性下穿きであって、裏地、をさらに含み、前記前表地と後表地との縫い付け部分に陰嚢ポケットが設けられ、前記裏地は裏地左側布切れ及び裏地右側布切れで構成され、前記裏地左側布切れと裏地右側布切れとの縫い付け部分に開口が設けられ、前記前表地及び裏地の両側辺はそれぞれ前記陰嚢ポケットに寄せて縫い付けられ前記開口と連通する独立の置き空間が形成され、前記前表地と裏地との頂部は揃えられ前記ゴムバンドに縫い付けられていることを特徴とする。
【０００６】
請求項２の考案に係るサポート及び分離機能を有する男性下穿きは、請求項１に記載の考案に係るサポート及び分離機能を有する男性下穿きにおいて、前記左右の２枚の布切れのサイズは同様であり、前記裏地左側布切れと裏地右側布切れとのサイズは同様であることを特徴とする。
【考案の効果】
【０００７】
本考案に係るサポート及び分離機能を有する男性下穿きは、製造工程が簡単で、履き心地が良く、陰嚢ポケットにより陰嚢をサポートする機能が加えられ、陰茎が開口を通り上向き又は下向きに自然に伸ばせる独立の空間を有し、陰茎が長期的に押し付けられることを回避することができ、陰嚢と陰茎とを効果的に分離させそれぞれ保護し、よって精索静脈瘤を予防することができる。
【図面の簡単な説明】
【０００８】
【図１】本考案の実施例１に係るサポート及び分離機能を有する男性下穿きを示す平面展開図である。
【図２】本考案の実施例１に係るサポート及び分離機能を有する男性下穿きを示す正面透視図である。
【図３】本考案の実施例１に係るサポート及び分離機能を有する男性下穿きを示す斜視透視図である。
【考案を実施するための形態】
【０００９】
以下、図面を用いて本考案の詳細を説明する。
【実施例１】
【００１０】
図１〜図３に示すように、本実施例に係る男性下穿きは、前表地７、後表地４及びゴムバンド１を含み、前表地７及び後表地４の頂部はそれぞれゴムバンド１に縫い付けられ、前表地７は左右の２枚の布切れ８、９を縫い付けて構成され、前表地７と後表地４とは縫い付けられている。
【００１１】
本実施例に係る男性下穿きは、裏地をさらに含み、前表地７と後表地４との縫い付け部分には陰嚢ポケット５が設けられている。裏地は、裏地左側布切れ２及び裏地右側布切れ３で構成され、且つ裏地左側布切れ２と裏地右側布切れ３との縫い付け部分に開口６が設けられている。
【００１２】
前表地７及び裏地の両側辺は、それぞれ陰嚢ポケット５に寄せて縫い付けられ、開口６と連通する独立の置き空間が形成され、前表地７と裏地との頂部は揃えられゴムバンド１に縫い付けられている。
【００１３】
本実施例において、左右の２枚の布切れ８、９のサイズ及び形状は同様であり、裏地左側布切れ２と裏地右側布切れ３のサイズ及び形状は同様である。
【００１４】
陰嚢ポケット５は、通気性及び速乾性に優れたナイロン素材を採用し、サポート性が強く、さらさらで通気性がよく、さらに湿気及び蒸れを回避し、細菌繁殖による様々な皮膚病の発生を低減させることができる。
【００１５】
実際の生産製造において、本実施例に係るサポート及び分離機能を有する男性下穿きは、三角型の下穿き、ボクサー型の下穿き及びＴ型の下穿きを含み、ただしこれらに限定されない。
【００１６】
本実施例に係るサポート及び分離機能を有する男性下穿きは、製造工程が簡単で、履き心地が良く、陰嚢ポケット５により陰嚢をサポートする機能が加えられ、陰茎が開口を通り上向き又は下向きに自然に伸ばせる独立の空間を有し、陰茎が長期的に押し付けられることを回避することができ、陰嚢と陰茎とを効果的に分離させそれぞれ保護し、よって精索静脈瘤を予防することができる。
【００１７】
上述した具体的な実施例により、本考案の目的、技術的解決手段及び有益な効果についてさらに詳細に説明したが、理解すべきことは、上記の説明は本考案の具体的な実施例に過ぎず、本考案を限定するものではなく、本考案の精神及び原則内で行われる如何なる修正、均等置換、改善などは、いずれも本考案の保護範囲内に含まれる。
【符号の説明】
【００１８】
１    ゴムバンド
２    裏地左側布切れ
３    裏地右側布切れ
４    後表地
５    陰嚢ポケット
６    開口
７    前表地
８    左の布切れ
９    右の布切れ
【図１】
0003213603.tif 000003
【図２】
0003213603.tif 000004
【図３】
0003213603.tif 000005